(57)【要約】【課題】球の意外性に富む動きで遊技性向上を図る。【解決手段】上側調整釘４１の頭部が左右および上に向くように、上側調整釘４１を調整することで、球発射通路２から遊技領域３に発射された球がセンター飾り１４の上部左側のゲージ領域５を流下して連釘５４と周壁２３との間を経由した場合、当該球は上側調整釘４１に絡んで一瞬止まるような動きをした後に上側調整釘４１を左側に回り込んで球取込部２４に入る一方、下側調整釘４２の頭部が左右および上下に向くように、下側調整釘４２を調整することで、球が下側調整釘４２の左側に配置された１本の遊技釘５３と下側調整釘４２との間の隙間の方向に向かう確率と、球が球取込部２４に向かう確率とが変わる。【選択図】        図１
2004147938.tif 000002
【特許請求の範囲】
【請求項１】
遊技領域に設けられたセンター飾りの側部に球取込部を備える一方、球取込部の周囲の遊技領域に調整釘を上下に設けたパチンコ機の遊技盤において、上側調整釘を球取込部の上側隅部に近接配置したことを特徴とするパチンコ機の遊技盤。
【請求項２】
下側調整釘を上側調整釘よりもセンター飾りから離れた位置に設けたことを特徴とする請求項１記載のパチンコ機の遊技盤。
【請求項３】
遊技領域が遊技釘の設けられたゲージ領域と遊技釘の設けられていない非ゲージ領域とに二分された非対称に構成されたことを特徴とする請求項１記載のパチンコ機の遊技盤。
【発明の詳細な説明】
【０００１】
【発明の属する技術分野】
本発明はパチンコ機の遊技盤であって、センター飾りの側部に形成された球取込部周りの遊技釘の配置に関する。
【０００２】
【従来の技術】
従来のパチンコ機の遊技盤は、遊技領域にセンター飾りを設け、センター飾りの側部に形成された球取込部近傍の遊技領域に調整釘を上下に設けたものが知られている。
【０００３】
【発明が解決しようとする課題】
しかしながら、前記従来例は、上側調整釘が球取込部の上側隅部より斜め上方に離れた位置に設けられているので、当該調整釘に衝突した球が球取込部に向かうかまたは下方に向かうかのどちらかを作る単純な動きだけであって、遊技性に欠けるという問題点があった。
【０００４】
そこで、本発明は、上側調整釘に衝突した球が一瞬止まるような動きをすることで、遊技性を向上することができるパチンコ機の遊技盤を提供するものである。
【０００５】
【課題を解決するための手段】
本発明にあっては、遊技領域に設けられたセンター飾りの側部に球取込部を備える一方、球取込部の周囲の遊技領域に調整釘を上下に設けたパチンコ機の遊技盤において、上側調整釘を球取込部の上側隅部に近接配置したことによって、上側調整釘の頭部が左右および上に向くように、上側調整釘を調整することで、球発射通路から遊技領域に発射された球がセンター飾りの上部左側のゲージ領域を流下して連釘と周壁との間を経由した場合、当該球は上側調整釘に絡んで一瞬止まるような動きをした後に上側調整釘を左側に回り込んで球取込部に入るので、球取込部周りでの球の動きに意外性を発揮し、遊技性を向上することができる。また、本発明にあっては、下側調整釘を上側調整釘よりもセンター飾りから離れた位置に設ければ、下側調整釘の頭部が左右および上下に向くように、下側調整釘を調整することで、球が球取込部に取り込まれる確率を変えられるので、遊技性を向上することができる。また、本発明にあっては、遊技領域が遊技釘の設けられたゲージ領域と遊技釘の設けられていない非ゲージ領域とに二分された非対称に構成されれば、ゲージ領域による球飛びの面白さと非ゲージ領域による意匠表現とを備えた遊技盤を提供することができる。
【０００６】
【発明の実施の形態】
図１および図２は一実施形態であって、図１は遊技盤１の正面を示し、図２は調整釘周りの正面を示す。
【０００７】
図１を参照し、遊技盤１について説明する。遊技盤１は前面である意匠盤面に球発射通路２と遊技領域３とを備える。球発射通路２は図外の球発射機構から発射された球を遊技領域３に導くようにガイドレール４の外側部分と内側部分との間に形成された通路である。球発射機構は遊技盤１の装着される図外の遊技機枠に設けられる部品である。遊技領域３はゲージ領域５と非ゲージ領域６とに二分された非対称に構成される。ゲージ領域５は球発射通路２に近い左側に配置される。ゲージ領域５には障害釘とも呼ばれる多数本の遊技釘７、ゲートと呼ばれる球通過形の入賞部品８、風車９、サイドランプ１０、始動入賞部品１１、アタッカーや大入賞口と呼ばれる可変入賞部品１２、ハートと呼ばれるアウト口１３などの部品が設けられる。非ゲージ領域６は遊技釘７の設けられていない領域であって、球発射通路２から離れた右側に配置される。非ゲージ領域６にはセンター飾り１４や回胴形の特別遊技表示器１５が設けられる。始動入賞部品１１は電動チューリップに類似する形態になっている。
【０００８】
センター飾り１４は遊技領域３の中央部および右上半分を覆う大形であって、前方に開放された中央凹部１８に透過性パネル１９を備え、中央凹部１８の上部に光演出部２０；２１を備え、中央凹部１８の下部にステージ２２を備え、中央凹部１８の左側に周壁２３および球取込部２４を備え、中央凹部１８の右側に固定形のフィギュア２５を備える。透過性パネル１９の裏側には液晶表示器のような図外の図柄表示器が配置される。光演出部２０；２１と周壁２３およびフィギュア２５はセンター飾り１４の外側から中央凹部１８の方向に向かう球を阻止するように突出した形態である。光演出部２０は可動シャッター２７が裏側に設けられた図外の駆動機構で９０度に回転して開くことによって光演出部２０の内部で点灯した表示灯の光が開いた可動シャッター２７の隙間から前側に透過する、所謂、モールス信号を光で発信する場合に用いられる信号灯のような形態である。ステージ２２は球取込部２４からワープ入口２８およびワープ通路２９を経由して排出された球を振分部３０で中央球出口３１と左右球落下部３２とのいずれかに振り分ける。ステージ２２における中央球出口３１に振り分けられた球は当該中央球出口３１から真下の始動入賞部品１１の入賞口に向けて落下する。ステージ２２における左右球落下部３２に振り分けられた球は当該左右球落下部３２から始動入賞部品１１の入賞口よりも左右に外れた位置に向けて落下する。
【０００９】
そして、球発射通路２から遊技領域３に発射された球が始動入賞部品１１に入賞すると、始動入賞部品１１に入賞した球を検出した球検出器が始動入賞信号を図外の制御装置に出力し、制御装置が抽選処理を実行するとともに図柄表示器を駆動し、図柄表示器が図柄変動を開始した後に抽選結果を反映すべく停止する。抽選処理で外れが抽選されている場合は図柄表示器で停止した確定図柄が当たり図柄以外となり、制御装置が始動入賞に伴うそれ以降の大当たり制御を終了する。抽選処理で当たりが抽選されている場合は図柄表示器で停止した確定図柄が当たり図柄で揃った後、制御装置が始動入賞に伴うそれ以降の大当たり制御を実行する。この大当たり制御により可変入賞部品１２の開閉体３３が所定回数または所定時間だけ開閉する。上記抽選処理において確変または時短が抽選された場合、制御装置は図柄表示器での確定図柄表示以降に特別遊技表示器１５を表示制御し、特別遊技表示器１５の回胴が確変を表わす確変表示図柄または時短を表わす時短表示図柄を遊技者から見えるように表示停止する。
【００１０】
特に、図２にも示すように、ゲージ領域５において、球取込部２４の周囲に遊技釘である調整釘４１；４２を上下に設け、上側調整釘４１が球取込部２４の上側隅部４３に近接配置される。具体的には、球取込部２４は前側に開放された球通路を上側突起部４５と下側突起部４６と縦壁面４７とで囲むように形成（囲み形成）し、縦壁面４７にワープ入口２８を球通路の中央凹部１８の方向に寄った位置に備える。そして、遊技領域３から球通路に取り込まれた球Ｐはワープ入口２８からワープ通路２９に取り込まれる。上側調整釘４１は縦壁面４７に接触するかまたは接触する程度で球取込部２４の上側隅部４３に近接配置される。下側調整釘４２は上側調整釘４１よりも左側に配置される。下側調整釘４２と球取込部２４の下側隅部４８との間には１本の遊技釘５１が配置される。この１本の遊技釘５１は下側調整釘４２と球Ｐが通過不可能な間隔の連釘を形成する。
【００１１】
上側調整釘４１の左側に配置された１本の遊技釘５２と上側調整釘４１との間の寸法をＡとし、下側調整釘４２の左側に配置された１本の遊技釘５３と下側調整釘４２との間の寸法をＣとし、上記１本の遊技釘５２と１本の遊技釘５３との間の寸法をＢとし、上側調整釘４１と下側調整釘４２との間の寸法をＤとすると、Ａ＞Ｂ、Ｃ＞Ｄの関係になっている。上側調整釘４１よりも上方において、周壁２３と対向する位置に連釘５４が配置される。連釘５４は周壁２３との共同で球Ｐを上側調整釘４１に誘導する形態であって、連釘５４を構成する個々の釘は球Ｐが通過不可能な間隔で左から右に下がる坂道を形成するように斜めに配置される。
【００１２】
本実施形態の構造によれば、上側調整釘４１が球取込部２４の上側隅部４３に近接配置されているので、上側調整釘４１の頭部が左右および上に向くように、上側調整釘４１を調整することで、球発射通路２から遊技領域３に発射された球Ｐがセンター飾り１４の上部左側のゲージ領域５を流下して連釘５４と周壁２３との間を経由した場合、当該球Ｐは上側調整釘４１に絡んで一瞬止まるような動きをした後に上側調整釘４１を左側に回り込んで球取込部２４に入る。また、下側調整釘４２は上側調整釘４１よりも左側に配置されているので、下側調整釘４２の頭部が左右および上下に向くように、下側調整釘４２を調整することで、球Ｐが下側調整釘４２の左側に配置された１本の遊技釘５３と下側調整釘４２との間の隙間の方向に向かう確率と、球Ｐが球取込部２４に向かう確率とが変わる。
【００１３】
また、本実施形態によれば、ゲージ領域５で遊技釘７による球飛びの面白さを追求し、非ゲージ領域６でセンター飾り１４や特別遊技表示器１５による意匠表現を重視した遊技盤１を提供することができる。遊技釘７、上側調整釘４１、下側調整釘４２、遊技釘５１−５３、連釘５４は同種の釘で構成されている。
【図面の簡単な説明】
【図１】一実施形態の遊技盤を示す正面図。
【図２】同実施形態の調整釘周りを示す正面図。
【符号の説明】
１  遊技盤、３  遊技領域、５  ゲージ領域、６  非ゲージ領域、
１４  センター飾り、２４  球取込部、４１  上側調整釘、
４２  下側調整釘、４３  上側隅部。
【図１】
2004147938.tif 000003
【図２】
2004147938.tif 000004